(57)【要約】【課題】コンテンツのダウンロードに時間がかかるような場合に、コンテンツのダウンロードが完了したことを速やかにユーザに通知できるようにする。【解決手段】本発明では、映像再生端末に、コンテンツのダウンロードを行うダウンロード手段を設けている。また、携帯電話との通信手段を設け、携帯電話から電子メールアドレスを受信し記憶できるようにしている。そして、電子メールの送信手段を設け、コンテンツのダウンロードが完了したときに、記憶されている電子メールアドレスに、コンテンツのダウンロードが完了した旨を含む電子メールを送信できるようにしている。【選択図】図４
2009267455.tif 000002
【特許請求の範囲】
【請求項１】
コンテンツサーバからコンテンツをダウンロードするコンテンツダウンロード手段と、
電子メールの送信先を記憶する宛先記憶手段と、
電子メールを送信する電子メール送信手段とを有し、
コンテンツダウンロード手段によりコンテンツのダウンロードが完了した場合に、宛先記憶手段で記憶される電子メールの送信先に、電子メール送信手段によりダウンロードが完了した旨の電子メールを送信する映像再生装置。
【請求項２】
コンテンツサーバからコンテンツをダウンロードするコンテンツダウンロード手段と、
携帯端末から電子メールの送信先を受信するメールアドレス受信手段と、
メールアドレス受信手段により受信した電子メールの送信先を記憶する宛先記憶手段と、
電子メールを送信する電子メール送信手段とを有し、
コンテンツダウンロード手段によりコンテンツのダウンロードが完了した場合に、宛先記憶手段で記憶される電子メールの送信先に、電子メール送信手段によりダウンロードが完了した旨の電子メールを送信する映像再生装置。
【請求項３】
コンテンツサーバからコンテンツをダウンロードするコンテンツダウンロード手段と、
コンテンツのダウンロード状態を管理するダウンロード状態管理手段と、
携帯端末から電子メールの送信先を受信するメールアドレス受信手段と、
ダウンロード状態管理手段によりコンテンツをダウンロード中と判断した場合に、メールアドレス受信手段により受信した電子メールの送信先をダウンロード中のコンテンツと１対１に対応させて記憶する宛先記憶手段と、
電子メールを送信する電子メール送信手段とを有し、
コンテンツダウンロード手段によりコンテンツのダウンロードが完了した場合に、宛先記憶手段で記憶されるダウンロードが完了したコンテンツに対応する電子メールの送信先に、電子メール送信手段によりダウンロードが完了した旨の電子メールを送信する映像再生装置。
【請求項４】
請求項３の映像再生装置において、
メールアドレス受信手段により電子メールの送信先を受信した際に、ダウンロード状態管理手段により管理されるダウンロード中のコンテンツが複数ある場合、ダウンロード完了時に電子メールを送信するコンテンツを選択する選択手段を有し、
宛先記憶手段で管理する送信先の内、上記選択手段により選択したコンテンツに対応する宛先にメールアドレス受信手段により受信した送信先を記憶する映像再生装置。
【発明の詳細な説明】
【技術分野】
【０００１】
技術分野は、通信によるコンテンツのダウンロード機能を有する映像再生装置に関する。
【背景技術】
【０００２】
特許文献１は、コンテンツサーバからコンテンツをダウンロードし、再生する技術について開示している。
【０００３】
【特許文献１】特開２００５−１５９７０３号公報
【発明の開示】
【発明が解決しようとする課題】
【０００４】
特許文献１のコンテンツ処理装置は、コンテンツ配信装置からコンテンツをダウンロードする。近年、コンテンツのサイズは、映像品質の向上と共に、大容量化しており、ダウンロードにも時間がかかるようになってきている。特許文献１では、ユーザにダウンロードが完了したことをコンテンツ処理装置の画面で通知するようになっている。この場合、ユーザはコンテンツ処理装置の前でなければダウンロードが完了したか否かを知ることができないという課題がある。
【課題を解決するための手段】
【０００５】
そこで本出願では例えば、ダウンロードに時間がかかる場合において、ユーザがダウンロードしている端末の前にいなくても、ダウンロードが完了したことを比較的速やかにユーザに通知できるダウンロード機能を有する映像再生装置を提供する。
【０００６】
具体的に、映像再生装置は、コンテンツサーバとの通信手段を設け、この通信手段を介してコンテンツをコンテンツサーバからダウンロードするコンテンツダウンロード手段を設けている。また、携帯電話との通信手段を設け、携帯電話から電子メールアドレスを受信できるようにしている。さらに、受信した電子メールアドレスを電子メール管理手段により記憶できるようにしている。
【０００７】
そして、電子メールの送信手段を設け、コンテンツのダウンロードが完了したときに、電子メール管理手段により記憶されている電子メールアドレスに、コンテンツのダウンロードが完了した旨を含む電子メールを送信できるようにしている。
【発明の効果】
【０００８】
上記手段によれば例えば、コンテンツのダウンロードに長い時間がかかるようなときにユーザが映像再生装置から離れている場合でも、ユーザはダウンロードが完了したことを知ることができる。
【発明を実施するための最良の形態】
【０００９】
本発明に好適な実施形態の例（実施例）を、以下、図面を用いて説明する。ただし本発明は本実施例に限定されない。
【実施例１】
【００１０】
まず、システムの構成例について、図１を用いて説明する。
【００１１】
図中、１００は、映像再生装置である。映像再生装置１００は、例えば、デジタルテレビ、ハードディスクレコーダなどである。なお、本発明では、映像再生装置１００として、デジタルテレビの例を用いて説明する。１１０はコンテンツサーバである。コンテンツサーバ１１０は、映像再生装置１００に、映画、ドラマなどの映像コンテンツを提供する。また、映像再生装置１００は、コンテンツサーバ１１０から映像コンテンツをダウンロードし、ダウンロードした映像を再生する。１２０はメールサーバである。メールサーバ１２０は、電子メールの送信要求を受け付け、電子メールの送信を行う。１３０は、携帯電話である。携帯電話１３０（電話に限らず、携帯端末ともいう）には、電子メールを受信するためのメールアドレスが割り当てられている。１４０はインターネットである。映像再生装置１００は、インターネット１４０を介して、コンテンツサーバ１１０やメールサーバ１２０と通信を行う。１５０は携帯電話ネットワークである。携帯電話ネットワークは携帯電話１３０とメールサーバ１２０との通信などに利用する。１６０はローカル通信である。ローカル通信１６０は、例えば、赤外線やＢｌｕｅｔｏｏｔｈなどの近距離通信手段である。映像再生装置１００と携帯電話１３０は、ローカル通信１６０を介して、データの送受信を行う。
【００１２】
本実施例では、映像再生装置１００がコンテンツサーバ１１０からコンテンツをダウンロードを行う際に、ダウンロードが完了すると映像再生装置１００はメールサーバ１２０を介して携帯電話１３０に電子メールを送信し、ダウンロードが完了した旨を通知する。これにより、ユーザは映像再生装置１００を常に見ていなくても、ダウンロードを完了したことを知ることができる。
【００１３】
次に、映像再生装置１００のハードウェア構成について、図２のブロック図を用いて説明する。
【００１４】
制御部１０１は、マイクロプロセッサユニット等から構成され、映像再生装置１００全体の動作を制御、各種処理の実行を行う。
【００１５】
ＴＶ機能部１０２は、デマルチプレクサや、デコーダなどから構成され、デジタルテレビ放送の再生や、コンテンツサーバ１１０からダウンロードしたコンテンツの再生を行う。
【００１６】
記憶部１０３は、各種のデータを記憶する。例えば、記憶部１０３は、制御部１０１の動作制御用プログラムを記憶する。記憶部１０３は、内蔵されるメモリ、取り外し可能な外部メモリ、のいずれから構成されてもよい。
【００１７】
入力部１０４は、ユーザからの操作を受け付け、操作信号を制御部１０１に入力する。例えば、リモコン及びリモコン信号の受信部である。
【００１８】
表示部１０５は、表示パネルとドライバ回路などから構成され、制御部１０１の制御下にて画像など表示パネルに表示する。
【００１９】
ネットワーク制御部１０６は、例えばＥｔｈｅｒｎｅｔ（登録商標）（登録商標）（商標）インタフェースとドライバ回路などから構成され、制御部１０１の制御下にて、インターネット１４０を介して、コンテンツサーバ１１０やメールサーバ１２０とデータの送受信を行う。
【００２０】
ＨＤＤ１０７は、例えばハードディスク装置である。コンテンツサーバ１１０からダウンロードしたコンテンツなどを保存する。なお、ＨＤＤ１０７は内蔵されるハードディスク、取り外し可能なハードディスクのいずれから構成されてもよい。
【００２１】
ローカル通信１０８は、例えば、赤外線やＢｌｕｅｔｏｏｔｈなどの近距離通信手段である。映像再生装置１００は、ローカル通信１０８を用いて、近距離（数メートル程度）での携帯電話１３０とのデータの送受信を行う。
【００２２】
バス１０９は、制御部１０１〜ローカル通信１０８までの構成ブロックを接続する。
【００２３】
次に、コンテンツのダウンロード状態および電子メールの送信先を管理するためのコンテンツ管理テーブルについて、図３を用いて説明する。コンテンツ管理テーブルは、記憶部１０３に保存する。
【００２４】
図中、２１０はコンテンツ管理テーブルである。コンテンツ管理テーブル２１０は複数のコンテンツ管理レコード２２０で構成する。コンテンツ管理レコード２２０は、ＩＤ２２１、コンテンツ情報２２２、ステータス２２３、メールアドレス２２４で構成する。
【００２５】
ＩＤ２２１はコンテンツ管理レコードを識別するための識別子である。コンテンツ情報２２２は、コンテンツのタイトル、再生時間、ＨＤＤ１０７内での保存場所などである。ステータス２２３は、ダウンロードの状態を現し、例えば、「未開始」「ダウンロード中」「ダウンロード完了」などである。メールアドレス２２４は、ダウンロードが完了したときの電子メールの送信先である。
【００２６】
次に、処理のシーケンス例を図４のシーケンス図を用いて説明する。
【００２７】
映像再生装置１００は、まず、コンテンツサーバ１１０に、コンテンツのダウンロード要求を送信する（ステップ３００）。コンテンツダウンロード要求を受信したコンテンツサーバ１１０は、映像再生装置に要求されたコンテンツを送信する（ステップ３５０）。映像再生装置１００は、コンテンツサーバ１１０からのコンテンツを受信し、ＨＤＤ１０７に保存する。
【００２８】
携帯電話１３０は、映像再生装置１００がコンテンツをダウンロードしている間に、自身の電子メールアドレスを映像再生装置１００に送信する（ステップ３７０）。映像再生装置１００は、携帯電話１３０から電子メールアドレスを受信すると、コンテンツ管理テーブル２１０のコンテンツ管理レコード２２０に受信したメールアドレスを登録する（ステップ３２０）。映像再生装置は、コンテンツのダウンロードが完了すると、ダウンロードが完了したコンテンツのコンテンツ管理レコード２２０の電子メールアドレス２２４に、メールサーバ１２０を介して、電子メールを送信する（ステップ３３０）。メールサーバ１２０は、携帯電話１３０に電子メールを送信する（ステップ３６０）。携帯電話１３０は、メールサーバ１２０から電子メールを受信する（ステップ３８０）。
【００２９】
以上のように、映像再生装置１００で、ステップ３００、３１０、３２０、３３０の処理を行うことで、ダウンロードが完了したことを携帯電話１３０に通知することができるようになる。以下、これらのステップの詳細について説明する。
【００３０】
なお、コンテンツサーバ１１０、メールサーバ１２０、携帯電話１３０での処理についての詳細な説明は省略する。
【００３１】
まず、ステップ３００の詳細について、図５を用いて説明する。
【００３２】
ステップ３００では、まず、コンテンツ管理テーブル２１０に新しいコンテンツ管理レコード２２０を追加する（ステップ３０１）。このとき、コンテンツ管理レコード２２０のＩＤ２２１には、例えば、コンテンツ管理レコード２２０の通し番号を入れる。コンテンツ情報２２２には、コンテンツのタイトル、コンテンツの識別子、ＨＤＤ１０７での保存場所などの情報を保存する。ステータス２２３には、「ダウンロード中」、メールアドレス２２４には「未設定」を設定する。
【００３３】
次に、コンテンツのダウンロードリクエストをコンテンツサーバ１１０に送信する（ステップ３０２）。コンテンツのダウンロードリクエストは、例えば、ダウンロードするコンテンツを特定する情報を含むＨＴＴＰリクエストメッセージをコンテンツサーバ１１０に送信することで行う。
【００３４】
次に、ステップ３２０の詳細について、図６を用いて説明する。なお、ステップ３２０の処理は、ローカル通信１０８を介して、携帯電話１３０から電子メールアドレスを受信する時に実行する。
【００３５】
ステップ３２０では、まず、携帯電話１３０から電子メールアドレスを受信する（ステップ３２１）。次に、コンテンツ管理テーブル２１０で管理するコンテンツ管理レコード２２０ａ〜ｎの内、ステータスが「ダウンロード中」になっているものを特定する（ステップ３２２）。ステップ３２２で特定したコンテンツ管理レコード２２０が複数ある場合、選択画面を表示し、ユーザにどのコンテンツのダウンロードが完了した時にメールで通知をするかを選択させる（ステップ３２３）。
【００３６】
図７に、選択画面の例を示す。図中、２５０ａ〜ｃが、ステータスが「ダウンロード中」のコンテンツ管理レコード２２０のコンテンツ情報２２２からコンテンツタイトルを取り出して、リスト形式で表示した時の例である。このような画面を用いて、ユーザは、ダウンロードが完了したときに通知をしてほしいコンテンツを選択する。
【００３７】
「ダウンロード中」のコンテンツ管理レコード２２０が一つの場合はそのコンテンツ管理レコード２２０のメールアドレス２２４に、複数の場合はステップ３２３で選択したコンテンツ管理レコード２２０のメールアドレス２２４に、ステップ３２１で受信したメールアドレスをセットする（ステップ３２４）。
【００３８】
次に、ステップ３１０、ステップ３３０の詳細について、図８を用いて説明する。
【００３９】
ステップ３１０では、まず、コンテンツサーバ１１０からコンテンツデータを受信する（ステップ３１１）。コンテンツデータは、通常、ステップ３０２で送信したＨＴＴＰリクエストメッセージに対するＨＴＴＰレスポンスメッセージとしてコンテンツサーバ１１０から映像再生装置１００に送信される。なお、コンテンツデータが大きい場合、通常、複数に分割して送信される。次に、ステップ３１１で受信したコンテンツデータをＨＤＤ１０７に保存する（ステップ３１２）。そして、コンテンツデータをすべて受信したか否かをチェックする（ステップ３１３）。コンテンツデータをすべて受信していなければ、ステップ３１１に戻る。すべて受信していれば、ステップ３３０に進む。
【００４０】
ステップ３３０では、まず、受信が完了したコンテンツのコンテンツ管理レコード２２０のステータス２２３を「ダウンロード完了」に変更する（ステップ３３１）。次に、コンテンツ管理レコード２２０のメールアドレス２２４に有効なメールアドレスが登録されているかチェックする（ステップ３３２）。有効なメールアドレスが登録されている場合、メールサーバ１３０を介して、メールアドレス２２４にメールを送信する（ステップ３３３）。有効なメールアドレスが登録されていない場合、何もしないで処理を終了する。
【００４１】
図９に、ステップ３３３で送信するメールの例を示す。図中、５００ａは、ステップ３３３で、携帯電話１３０に送信する電子メールの例である。電子メール５００ａには、コンテンツ管理レコード２２０のコンテンツ情報２２２で管理するタイトルなどの情報を入れることで、どのコンテンツのダウンロードが完了したかをわかりやすくすることができる（図中５０１）
また、携帯電話１３０において、電子メール５００ａを受信したときの表示画面の例を５１０ａに示す。
【００４２】
以上の処理により、映像再生装置１００は、コンテンツサーバ１１０からコンテンツをダウンロードを行う際に、ダウンロードが完了すると、メールサーバ１２０を介して携帯電話１３０に電子メールを送信し、ダウンロードが完了した旨を通知することができるようになる。これにより、ユーザは、映像再生装置１００を常に監視していなくても、ダウンロードを完了したことを知ることができる。
【実施例２】
【００４３】
以上の実施例では、電子メールでダウンロードが完了した旨を通知するのみであったが、ダウンロード完了時に、映像再生装置１００が携帯電話１３０に送信する電子メールに、携帯電話１３０でコンテンツを再生するための情報を入れることにより、ダウンロード後簡単かつ速やかに携帯電話１３０で視聴することを可能とすることができる。以下、その実施例を説明する。
【００４４】
図１０は、ダウンロードの完了を通知する電子メールに、映像を再生するための情報を入れた例である。図中５００ｂは、コンテンツを携帯電話１３０で視聴するための再生情報５０２を含む電子メールである。映像再生装置１００は、ステップ３３３で電子メールを送信する際に、コンテンツ情報２２２で管理するコンテンツの保存場所、ネットワーク制御部１０６が管理するＩＰアドレスなどのネットワーク情報から、再生情報５０２を生成し、例えば、ＨＴＭＬ形式の電子メールに埋め込む。
【００４５】
携帯電話１３０では、電子メール５００ｂを受信すると、例えば、５１０ｂのように画面に表示する。画面５１０ｂで、ユーザはリンク５１１を選択すると、携帯電話１３０はＨＴＭＬ形式の電離メールに埋め込まれた再生情報５０２に従って、映像再生装置１３０に再生するコンテンツの取得を行い、映像を再生する（画面５２０）。
【００４６】
上記処理のシーケンスを図１１に示す。図中、４００〜４２０のステップが、携帯電話１３０において、コンテンツを再生する処理を示す。
【００４７】
携帯電話１３０は、電子メール５００ｂに埋め込まれた再生情報５０２に従い、映像再生装置１００に、コンテンツを要求する（ステップ４００）。コンテンツの要求は、例えば、ＨＴＴＰのリクエストメッセージで行う。映像再生装置１００は、携帯電話１３０からコンテンツの要求を受け取ると、要求されたコンテンツを順次携帯電話１３０に送信する（ステップ４２０）。映像再生装置１００から携帯電話１３０へのコンテンツ送信は、例えば、ＨＴＴＰのレスポンスメッセージを用いて送信する。携帯電話１３０では、受信したコンテンツを逐次再生する（ステップ４２０）。
【００４８】
このように、映像再生装置１００に、携帯電話１３０からのコンテンツ要求を受け付け、要求されたコンテンツを送信する機能を追加することで、コンテンツのダウンロード完了通知を受け取った携帯電話１３０で、そのコンテンツを簡単に再生することができるようになる。
【００４９】
なお以上の説明では、コンテンツ毎に、電子メールの送信先を設定できるようにしたが、電子メールの送信先を一つにすることも可能である。その場合、コンテンツ管理レコード２２０で、個別に電子メールアドレス２２４を保持するのではなく、記憶部１０３で、一つの電子メールアドレスを保持するようにする。そして、ステップ３３３で電子メールを送信する際に、上記電子メールアドレスに電子メールを送信するようにする。これにより、ユーザはダウンロードをする毎に通知先を設定する必要がなくなる。
【図面の簡単な説明】
【００５０】
【図１】システムの構成例を示す。
【図２】映像再生装置１００の構成例を示す。
【図３】コンテンツ管理テーブルの構成例を示す。
【図４】システムにおける処理シーケンス例を示す。
【図５】ステップ３００の処理例を示す。
【図６】ステップ３２０の処理例を示す。
【図７】ステップ３２３での選択画面の表示例を示す。
【図８】ステップ３１０、３３０の処理例を示す。
【図９】ステップ３３３での電子メールの文例およびステップ３８０での携帯電話の画面の表示例を示す。
【図１０】ステップ３３３での電子メールの文例およびステップ３８０での携帯電話の画面の表示例を示す。（実施例２）
【図１１】システムにおける処理シーケンス例を示す。（実施例２）
【符号の説明】
【００５１】
１００…映像再生装置、１１０…コンテンツサーバ、１２０…メールサーバ、１３０…携帯電話
【図１】
2009267455.tif 000003
【図２】
2009267455.tif 000004
【図３】
2009267455.tif 000005
【図４】
2009267455.tif 000006
【図５】
2009267455.tif 000007
【図６】
2009267455.tif 000008
【図７】
2009267455.tif 000009
【図８】
2009267455.tif 000010
【図９】
2009267455.tif 000011
【図１０】
2009267455.tif 000012
【図１１】
2009267455.tif 000013